(57)【要約】【課題】従来の解決方法では、４端子ヘッドホン接続時に余計な抵抗が介在するため出力が小さくなってしまうという問題があり、また３端子ヘッドホン接続時には、ヘッドホンのインピーダンスが純抵抗ではないため、打ち消し効果が現れない部分が発生してしまう事や、クロストークが生じるために両チャンネルのセパレーションが悪くなるという問題があり、さらにこれらの問題は回路中の抵抗と異なるインピーダンスのヘッドホンを接続した際には更に悪化するという問題を有していた。【解決手段】３極プラグ検出手段を有し、該検出手段によって検知された３極プラグ接続時において、両チャンネルの負側出力が正側出力の中心電圧と一致する直流となるように負側駆動回路２への入力を５０％デューティーパルス信号に切り替える５０％デューティーパルス切替スイッチ７を有することを特徴とするステレオデジタルアンプにおける差動非差動回路。【選択図】図２
2007019716.tif 000002
【特許請求の範囲】
【請求項１】
３極プラグ検出手段を有し、該検出手段によって検知された３極プラグ接続時において、両チャンネルの負側出力が正側出力の中心電圧と一致する直流となるように負側駆動回路への入力を５０％デューティーパルス信号に切り替える５０％デューティーパルス切替スイッチを有することを特徴とするステレオデジタルアンプにおける差動非差動回路。
【請求項２】
前記３極プラグ検出手段は、両チャンネルのうち一方から３極プラグ検出用信号を加え、該信号を他方から検出することにより３極プラグの接続を検知することを特徴とする請求項１に記載のステレオデジタルアンプにおける差動非差動回路。
【請求項３】
前記中心電圧が電源電圧の１／２の電圧であることを特徴とする請求項１又は２に記載のステレオデジタルアンプにおける差動非差動回路。
【請求項４】
前記差動非差動回路への入力が１ビットデジタル信号であることを特徴とする請求項１乃至３のいずれかに記載のステレオデジタルアンプにおける差動非差動回路。
【請求項５】
３極プラグ検出工程を有し、該検出工程によって検知された３極プラグ接続時において、両チャンネルの負側出力が正側出力の中心電圧と一致する直流となるように負側駆動回路への入力を５０％デューティーパルス信号に切り替えることを特徴とするステレオデジタルアンプにおける差動非差動切替方法。
【請求項６】
前記３極プラグ検出工程は、両チャンネルの一方から可聴帯域外のクロックを加え、該クロックを他方から検出することにより３極プラグの接続を検知することを特徴とする請求項５に記載のステレオデジタルアンプにおける差動非差動切替方法。
【請求項７】
前記中心電圧が電源電圧の１／２の電圧であることを特徴とする請求項５又は６に記載のステレオデジタルアンプにおける差動非差動切替方法。
【発明の詳細な説明】
【技術分野】
【０００１】
本発明は、特に差動非差動変換回路に関するものである。
【背景技術】
【０００２】
フルブリッジ構成のステレオデジタルアンプにおいては、出力に際して両チャンネルに正負２本ずつの計４つの出力端子が必要である。従って、こうしたステレオデジタルアンプに接続するヘッドホンには４つの端子を有する４端子ヘッドホンを用いることが望ましい。ところが、市場では３つの端子を有する３端子ヘッドホンが大半を占めている。（図１を参照）このため、本来４端子を要求するステレオデジタルアンプにおいて３端子ヘッドホンを使用可能とするため、例えば特許文献１のような発明が考案されている。
【特許文献１】特開２００３−８７０６４号公報
【０００３】
ところが従来の解決方法である、負極を共通アースとする方法においては、４端子ヘッドホン接続時に余計な抵抗が介在するため出力が小さくなってしまうという問題があった。また３端子ヘッドホン接続時には、ヘッドホンのインピーダンスが純抵抗ではないため、打ち消し効果が現れない部分が発生してしまう事や、クロストークが生じるために両チャンネルのセパレーションが悪くなるという問題があり、さらにこれらの問題は回路中の抵抗と異なるインピーダンスのヘッドホンを接続した際には更に悪化するという問題を有していた。（図１を参照）
【発明の開示】
【発明が解決しようとする課題】
【０００４】
本発明は、このような状況に鑑みてなされたものであり、上記問題点を解決できる差動非差動変換回路を提供することを目的とする。
【課題を解決するための手段】
【０００５】
本発明は上記課題を解決すべく、以下に掲げる構成とした。
請求項１記載の発明の要旨は、３極プラグ検出手段を有し、該検出手段によって検知された３極プラグ接続時において、両チャンネルの負側出力が正側出力の中心電圧と一致する直流となるように負側駆動回路への入力を５０％デューティーパルス信号に切り替える５０％デューティーパルス切替スイッチを有することを特徴とするステレオデジタルアンプにおける差動非差動回路に存する。
請求項２記載の発明の要旨は、前記３極プラグ検出手段は、両チャンネルのうち一方から３極プラグ検出用信号を加え、該信号を他方から検出することにより３極プラグの接続を検知することを特徴とする請求項１に記載のステレオデジタルアンプにおける差動非差動回路に存する。
請求項３記載の発明の要旨は、前記中心電圧が電源電圧の１／２の電圧であることを特徴とする請求項１又は２に記載のステレオデジタルアンプにおける差動非差動回路に存する。
請求項４記載の発明の要旨は、前記差動非差動回路への入力が１ビットデジタル信号であることを特徴とする請求項１乃至３のいずれかに記載のステレオデジタルアンプにおける差動非差動回路に存する。
請求項５記載の発明の要旨は、３極プラグ検出工程を有し、該検出工程によって検知された３極プラグ接続時において、両チャンネルの負側出力が正側出力の中心電圧と一致する直流となるように負側駆動回路への入力を５０％デューティーパルス信号に切り替えることを特徴とするステレオデジタルアンプにおける差動非差動切替方法に存する。
請求項６記載の発明の要旨は、前記３極プラグ検出工程は、両チャンネルの一方から可聴帯域外のクロックを加え、該クロックを他方から検出することにより３極プラグの接続を検知することを特徴とする請求項５に記載のステレオデジタルアンプにおける差動非差動切替方法に存する。
請求項７記載の発明の要旨は、前記中心電圧が電源電圧の１／２の電圧であることを特徴とする請求項５又は６に記載のステレオデジタルアンプにおける差動非差動切替方法に存する。
【発明の効果】
【０００６】
本発明の差動非差動変換回路は、４端子ヘッドホン接続時には余計な抵抗が介在することなく駆動され、３端子ヘッドホン接続時においては３極プラグ検出回路により検出されマイナス側出力が５０％デューティーパルス信号に切り替わるため、負荷には信号分の電圧だけが伝わるようになり、３端子でも４端子でも理想的な信号を出力できるという利点がある。
【発明を実施するための最良の形態】
【０００７】
以下、本発明の実施の形態を詳細に説明する。
【０００８】
本発明の差動非差動変換回路は図２に示されるように、正側駆動回路１、負側駆動回路２、ＭＯＳＦＥＴ３、コイル４、コンデンサ５、３極プラグ検出回路６、５０％デューティーパルス切替スイッチ７等を含んだ構成を有する。なお、図２に示された回路図は両チャンネルのうちＬ側のみを表示しており、実際の構成は２チャンネル分の差動非差動変換回路から成る。
【０００９】
ジャックにプラグが差されると、ＬＲ両チャンネルのうち一方の３極プラグ検出回路６から、マイナス端子を通じて３極プラグ検出用信号を送信する。この３極プラグ検出用信号は、可聴帯域外のクロック等のリスニングに影響を及ぼさない信号であることが好ましい。３極プラグ検出用信号を送信したチャンネルとは他方のチャンネルにある３極プラグ検出回路６が、この３極プラグ検出用信号を受信できれば、即ちジャックに差されているプラグは３極プラグであることが検知される。３極プラグ検出用信号を受信できない場合は、４極プラグであると判断される。
【００１０】
ジャックに差されたプラグが４極プラグである場合は、負側駆動回路２に通常のデジタル信号が送信される。この際、余計な抵抗を介在せずヘッドホンを駆動することが可能となる。
【００１１】
ジャックに差されたプラグが３極プラグである場合は、５０％デューティーパルス切替スイッチ７によって、負側駆動回路２に入力される信号が５０％デューティーパルス信号に切り替えられる。５０％デューティーパルス信号とは、両チャンネルの負側出力が正側出力の中心電圧と一致する直流となるように、即ち各チャンネルにおいて正極−負極間にクロストークを生じないように、負側駆動回路へ入力される信号のことである。負側駆動回路２に入力される信号が５０％デューティーパルス信号に切り替えられることにより、正極−負極間のクロストークが防止され、ヘッドホン負荷には信号分だけが伝えられるようになる。
【００１２】
図３は上記の３極プラグ接続時における本発明の差動非差動回路の作動概念図である。例えば、正極出力の中心電圧が電源電圧の１／２である場合、正極の出力はこの中心電圧である１／２ＶＣＣにオーディオ信号が加わったものとなる。この際、５０％デューティーパルス信号が入力された結果の負極の出力は１／２ＶＣＣとなるため、実質的に正極−負極間のクロストークは生じず、オーディオ信号のみがヘッドホン負荷に加わることとなる。
【００１３】
なお、上記の５０％デューティーパルス切替スイッチ７は、正側駆動回路１及び負側駆動回路２に入力される前段のデジタル信号生成のＤＳＰ（Digital
Signal Processor）に内蔵されていても良い。また、本発明の差動非差動回路は、ステレオデジタルアンプであれば種類を問わず適応可能であり、例えば１ビットデジタルアンプ等にも適応可能である。
【００１４】
以下、本実施の形態の実施例および比較例を示し、本発明を具体的に説明するが、本発明は下記実施例に制限されるものではない。
【実施例１】
【００１５】
本発明の実施の形態に沿って、差動非差動回路を構成した。すなわち、正側駆動回路１、負側駆動回路２、ＭＯＳＦＥＴ３、コイル４、コンデンサ５、３極プラグ検出回路６、５０％デューティーパルス切替スイッチ７を有する回路を構成し、これに１ビットステレオデジタルアンプを接続した。４極プラグのヘッドホンを接続したところ、５０％デューティーパルス切替スイッチ７は作動せず、通常の出力が駆動回路に送信された。ヘッドホンからの出力信号は従来の方法のように３端子ヘッドホン接続時に比して出力が落ちることもなかった。３極プラグのヘッドホンを接続したところ、５０％デューティーパルス切替スイッチ７が作動し、５０％デューティーパルス信号が駆動回路に出力された。出力されたオーディオ信号は、セパレーションも良好であった。
【産業上の利用可能性】
【００１６】
本発明の差動非差動回路は、４端子ヘッドホン接続時には余計な抵抗が介在することなく駆動され、３端子ヘッドホン接続時においては３極プラグ検出回路により検出されマイナス側出力が５０％デューティーパルス信号に切り替わるため、負荷には信号分の電圧だけが伝わるようになり、３端子でも４端子でも理想的な信号を出力できるオーディオ機器を製造することが可能になるという利点がある。
【図面の簡単な説明】
【００１７】
【図１】従来技術の説明図
【図２】本発明の構成図、及び実施例１の説明図
【図３】本発明の３極プラグ接続時における作動概念図
【符号の説明】
【００１８】
１    正側駆動回路
２    負側駆動回路
３    ＭＯＳＦＥＴ
４    コイル
５    コンデンサ
６    ３極プラグ検出回路
７    ５０％デューティーパルス切替スイッチ
【図１】
2007019716.tif 000003
【図２】
2007019716.tif 000004
【図３】
2007019716.tif 000005